(57)【要約】【課題】ファイル本体に収容した書類が落下・脱落するのを防止すると共に書類をファイル本体に収容したままで良好に見ることができ、かつ、綴込用ファイルに綴じ込んで整理、保管するのに適したファイルを提供する。【解決手段】一枚のプラスチックシートを二つ折りにして一対のシート１２，１３でファイル本体１を形成し、両シート間に書類２を収容するファイルであって、ファイル本体は、その下辺１４における折り曲げ部１１近くのみを溶着等で接合１５すると共に、接合部位以外の下辺と、上辺１６及び折り曲げ部と対向する側辺１７を開放する。ファイル本体の両シートの側辺１７部側に位置させて、両シート間に収容される書類の側辺部側を押える押え用係合舌片１８を設ける。ファイルは、ファイル本体に書類を収容した状態で折り曲げ部側を綴込用ファイル４に綴じ込むようにする。【選択図】図１
2008012785.tif 000002
【特許請求の範囲】
【請求項１】
一枚のプラスチックシートを二つ折りにし、折り曲げ部を介して形成された一対のシートを有するファイル本体を備え、前記両シート間に書類を収容するファイルであって、
前記ファイル本体は、その下辺における前記折り曲げ部側近くのみが溶着等で接合されていると共に、前記接合された接合部位以外の下辺と、上辺及び前記折り曲げ部と対向する側辺は開放され、
前記ファイル本体は、前記一方又は両方のシートの前記側辺部側に位置させて、前記両シート間に収容される書類の側辺部側を押える押え用係合舌片を備えていることを特徴とする、
ファイル。
【請求項２】
請求項１に記載のファイルにおいて、
前記ファイル本体は、その上辺と前記開放側の側辺における角部側に位置させて、前記押え用係合舌片に代え、前記両シート間に収容される書類の角部を係脱自在に係入する長孔状の係合孔を備えていることを特徴とする、ファイル。
【請求項３】
前記ファイルは、前記ファイル本体に書類を収容したまま綴込用ファイルに綴じ込むファイルであって、
前記両シート間に書類を収容した状態で、前記ファイル本体の前記折り曲げ部側に位置させて、前記一方のシートと書類及び前記他方のシートを貫通させて綴込用ファイルの綴じ具の綴じ金と対応して開設した綴じ穴と、前記各綴じ穴と前記折り曲げ部の側縁との間に、前記綴じ穴から前記側縁に亘って形成したスリットとを備え、前記綴じ金に前記綴じ穴を嵌合して所望数のファイルを綴込用ファイルに綴じ込むように構成したことを特徴とする、請求項１又は２に記載のファイル。
【請求項４】
請求項３に記載のファイルにおいて、
前記綴じ穴間に三角状等の切り込みを形成するように構成したことを特徴とする、ファイル。
【請求項５】
請求項３に記載のファイルにおいて、
前記切り込みに代え、前記綴じ穴間の略中央部にピン孔を形成するように構成したことを特徴とする、ファイル。
【請求項６】
請求項３ないし５のいずれかに記載のファイルにおいて、
前記各綴じ穴は穴の縁部の一部を残して開設するように構成したことを特徴とする、ファイル。
【発明の詳細な説明】
【技術分野】
【０００１】
本発明は、各種の書類を整理、保管するため等に用いられるファイルに関する。
【背景技術】
【０００２】
従来、この種ファイルとして、図１１に示すように、一枚のプラスチックシートを二つ折りにし、一対のシート５１，５２よりなるファイル本体５０を形成し、ファイル本体５０の下辺５３を溶着等５４で接合して封鎖すると共に上辺５５及び折り曲げ部５６と対向する側辺５７を解放してなるものが一般に知られている（例えば、特許文献１参照）。図１１において、５８は一方のシート５１の側縁部に形成した開口用の切欠部を示す。
図１１に示すファイル（以下、「従来のファイル」という）は上記のように構成され、各種の書類（図示せず）をファイル本体５０の両シート５１，５２間に収容して整理し、保管される。また、従来は、書類を収容したファイルを、図示しないキャビネットやファイルボックス等に収容して整理、保管している。
【０００３】
しかるに、従来のファイルはファイル本体５０の下辺５３の全体を溶着等で接合して封鎖してあるため、所要時に書類を見る際には、ファイル本体から取り出す必要がある。
【特許文献１】特開２００３−１９８８８号公報
【発明の開示】
【発明が解決しようとする課題】
【０００４】
本発明は上記のような実情に鑑みてなされたもので、本発明の１つの課題は書類をファイル本体に収容したままで良好に見ることが可能なファイルを提供することを目的とするものである。他の１つの課題は上記目的に加え、所望数のファイルを綴込用ファイルに綴じ込んで整理、保管するのに最適なファイルを提供することを目的とするものである。
【課題を解決するための手段】
【０００５】
上記目的を達成するため、本発明のうち１つの発明（第１の発明）は、一枚のプラスチックシートを二つ折りにし、折り曲げ部を介して形成された一対のシートを有するファイル本体を備え、前記両シート間に書類を収容するファイルであって、
前記ファイル本体は、その下辺における前記折り曲げ部側近くのみが溶着等で接合されていると共に、前記接合された接合部位以外の下辺と、上辺及び前記折り曲げ部と対向する側辺は開放され、
前記ファイル本体は、前記一方又は両方のシートの前記側辺部側に位置させて、前記両シート間に収容される書類の側辺部側を押える押え用係合舌片を備えていることを特徴とする。
【０００６】
第１の発明のように構成すると、書類をファイル本体に収容して書類の側辺部側を押え用係合舌片で押さえることにより、書類の下端角部側は接合部位で支持されると共に側辺部側は前記舌片で押さえられるので、ファイル本体に収容した書類が持ち運び中等に落下したり、脱落するのを防止できる。また、ファイル本体は接合部位以外の下辺と、上辺及び側辺は開放されているので、書類をファイル本体に収容したままで良好、かつ円滑に見ることができる。
【０００７】
本発明の他の１つの発明（第２の発明）は、第１の発明のファイルにおいて、前記ファイル本体は、その上辺と前記開放側の側辺における角部側に位置させて、前記押え用係合舌片に代え、前記両シート間に収容される書類の角部を係脱自在に係入する長孔状の係合孔を備えていることを特徴とする。
【０００８】
第２の発明のように構成すると、書類をファイル本体に収容して書類の上端角部側を係合孔に係入することにより、第１の発明と同様の作用効果を発揮する。
【０００９】
本発明のさらに他の１つの発明は、第１又は第２の発明のファイルにおいて、  前記ファイルは、前記ファイル本体に書類を収容したまま綴込用ファイルに綴じ込むファイルであって、
前記両シート間に書類を収容した状態で、前記ファイル本体の前記折り曲げ部側に位置させて、前記一方のシートと書類及び前記他方のシートを貫通させて綴込用ファイルの綴じ具の綴じ金と対応して開設した綴じ穴と、前記各綴じ穴と前記折り曲げ部の側縁との間に、前記綴じ穴から前記側縁に亘って形成したスリットとを備え、前記綴じ金に前記綴じ穴を嵌合して所望数のファイルを綴込用ファイルに綴じ込むように構成したことを特徴とする。
【００１０】
第３の発明のように構成すると、綴込用ファイルの綴じ具を開閉することなく、ファイル本体に書類を収容した状態のままで、スリットを通じて綴じ具の綴じ金にファイル(及び書類)の綴じ穴を簡単に嵌合して綴じ込むことができると共に綴じ金から引き抜くことができる。
したがって、第３の発明のように構成すると、前記作用効果に加え、所望数のファイルを綴込用ファイルに簡単に抜き差しして綴じ込んで整理、保管することが可能になる。また、綴込用ファイルに綴じ込んだままで必要なファイルの書類をファイル本体から取り出すことなく見ることができる。そのため、第３の発明のように構成すると、所望数のファイルを綴込用ファイルにまとめて整理、保管することができるので、アーカイブ用として使用できる最適なファイル（アーカイブファイル）を提供することが可能になる。
【００１１】
本発明のさらに他の１つの発明（第４の発明）は、第３の発明のファイルにおいて、前記綴じ穴間に三角状等の切り込みを形成するように構成したことを特徴とする。
【００１２】
第４の発明のように構成すると、前記作用効果に加え、三角状等の切り込み部がホッチキスの役目をなす。したがって、ファイル本体に収容した書類の収容状態を一層安定させることができる。また、書類がバラバラになったり、ずれ動くのを防止することができる。
【００１３】
本発明のさらに他の１つの発明（第５の発明）は、第３の発明のファイルにおいて、第４の発明の記載の前記切り込みに代え、前記綴じ穴間の略中央部にピン孔を形成するように構成したことを特徴とする。
第５の発明のように構成することにより、第４の発明と同様の作用効果が得られる。
【００１４】
本発明のさらに他の１つの発明（第６の発明）は第３ないし第５のいずれかの発明のファイルにおいて、前記各綴じ穴は穴の縁部の一部を残して開設するように構成したこと特徴とする。
第６の発明のように構成すると、前記作用効果に加え、前記綴じ穴の部分もホッチキスの役目をなす。
【発明の効果】
【００１５】
本発明によれば次のような効果を奏する。（１）ファイル本体に収容した書類を整然と保持し、持ち運び中等に書類が落下したり、脱落するのを防止できる。（２）書類をファイル本体に収容したままで円滑かつ良好に見ることができる。（３）第３の発明によれば、前記効果に加え、所望数のファイルを綴込用ファイルに簡単に綴じ込んで整理、保管することが可能になる。また、ファイルを簡単に引き抜くことができると共に、綴込用ファイルに綴じ込んだままで必要なファイルの書類をファイルから取り出すことなく見ることができる。（４）第４及び第５の発明によれば、前記諸効果に加え、三角状等の切り込み部（第５の発明においてはピン孔）がホッチキスの役目をなす。
【発明を実施するための最良の形態】
【００１６】
以下、図面を参照して本発明の実施の形態の一例を説明する。
【００１７】
図１は本発明のファイルの一実施の形態を示す図であって、同図（ａ）はファイルから書類を取り出した状態を示す説明図、同図（ｂ）はファイル本体に書類を収容した状態を示す平面説明図、図２は同上ファイルの一部を示す図であって、同図（ａ）はファイルの一部を拡大して示す平面図、同図（ｂ）及び（ｃ）は同図（ａ）のＡ−Ａ線及びＢ−Ｂ線断面図、図３は同上ファイルの押え用係合舌片の作用を説明するために示す説明図、図４（ａ），（ｂ）は同上ファイルに綴じ穴等を形成する工程を示す説明図、図５は同上ファイルを綴込用ファイルに綴じ込んで綴込用ファイルを開いた状態を示す説明図、図６は同じく綴込用ファイルを閉じた状態を示す説明図である。
【００１８】
上記図１〜図６において、この実施の形態（実施の形態１）のファイルは、一枚のプラスチックシートを二つ折りにし、折り曲げ部１１を介して形成された一対のシート１２，１３を有するファイル本体１を備える。プラスチックシートの素材は特に限定するものではないが、例えば、厚さが約０．１〜０．５ミリ程度のポリプロピレンその他のプラスチック材を採用することができる。
【００１９】
ファイル本体１の大きさについては特に限定はないが、通常使用される書類のサイズ、即ち例えば、Ａ４判サイズ、Ｂ５判サイズ、Ｂ４判サイズ等の書類を収容できる大きさに形成することができる。また、ファイル本体１は透明、着色透明、半透明、不透明等のプラスチックシートで構成することができる。ファイル本体１の両シート１２，１３間に任意枚数の各種の書類２が収容される。
【００２０】
ファイル本体１は、その下辺１４における前記折り曲げ部１１側近くのみが溶着等で接合１５されていると共に、前記接合された接合部位以外の下辺１４と、上辺１６及び折り曲げ部１１と対向する側辺１７は開放されている。これにより、ファイル本体１は折り曲げ部１１の折り線１１ａをヒンジとして、接合１５した部位を除く下辺１４、上辺１６及び側辺１７は自由に開閉するように構成されている。
【００２１】
前記ファイル本体は、一方又は両方のシート（図示では両シート１２，１３）の側辺１７部側に位置させて形成され、両シート１２，１３間に収容される書類２の側辺部側を押える押え用係合舌片１８，１８を備えている。実施の形態１では両シート１２，１３に略半円形状の切込線１８ａを形成して前記舌片１８を構成してある。これにより、任意枚数の書類２をファイル本体１に収容して書類２の側辺部側を図１（ｂ）及び図３に示すように、シート１２又は１３（図示ではシート１３）の前記舌片１８で押えることにより、書類２の下端角部側は前記接合１５した接合部位で支持されると共に側辺部側は図１（ｂ）、図３に示すように、前記舌片１８で押えられるので、ファイル本体１に収容された書類２は整然と保持される。したがって、ファイル本体１に収容した書類２が持ち運び中等に落下したり、脱落するのを防止できる。
また、ファイル本体１は接合１５された部位以外の下辺１４と、上辺１６及び側辺１７は開放されているので、書類２をファイル本体１から取り出すことなく、ファイル本体１に収容したままで円滑良好に見ることができる。図中、１９は一方のシート（図示ではシート１２）の側縁部の適当部に形成した開口用の切欠部を示す。
【００２２】
実施の形態１のファイルは上述した構成を具備した状態で書類を収容して整理、保管するファイルとして使用することができるが、ファイル本体１に書類２を収容したまま綴込用ファイル４に綴じ込んで整理、保管するファイルとして使用するのに最適なように構成されている。
【００２３】
綴込用ファイル４は任意の種類や型式等のものを採用できる。実施の形態１の綴込用ファイル４は図５、図６に示すように、表表紙４１と背部４２及び裏表紙４３とからなるファイル表紙４０の内側面に綴じ具４４を備えている。実施の形態１では裏表紙４３に綴じ具４４を設けた例が開示されている。この場合、綴じ具４４は例えば図１０に示すように、背部４２或いは表表紙４１に設けた構成の綴込用ファイルを採用できること勿論である。この点については後述する各実施の形態においても同様である。
【００２４】
前記綴じ具４４は任意の種類や型式のものを採用できる。実施の形態１では、綴じ具４４の綴じ金４５として開閉自在のリング状の金具４５ａを採用した綴じ具４４が開示されている。なお、上述したように、綴じ具４４は例えば図１０の示すように、綴じ金４５として綴じ杆４５ｂを採用したもの、或いはパイプ式やレバーアーチ式、その他の構成のものを任意に選択して採用することができる。
【００２５】
綴込用ファイル４にファイルを綴じ込む場合には、例えば次の構成を具備させる。即ち、図４（ａ）に示すように、ファイル本体１の両シート１２，１３間に所望の書類２を任意枚数収容する。この状態で、ファイル本体１の折り曲げ部１１側の適当部に位置させて、一方のシート１２と書類２及び他方のシート１３を貫通させて前記綴じ具４４の綴じ金４５と対応して開設した綴じ穴２１，２１、２２，２２、２３，２３と、前記各綴じ穴２１，２２，２３と前記折り曲げ部１１の側縁（折り線１１ａ）との間に、前記各綴じ穴から前記側縁に亘って形成したスリット２４，２５，２６を設ける。
【００２６】
前記各スリット２４，２５，２６は、ファイル本体１の折り曲げ部１１の側縁（折り線１１ａ）と略直交する方向に向けて形成するのが好ましい。前記各スリット２４，２５，２６は、図示しないカッターや鋏等で形成することもできるが、専用の穴開け器（図示せず）を製造し、この穴開け器を用いて前記各綴じ穴２１，２２，２３と同時に形成するように構成してもよい。
また、上記専用の穴開け器は、後述する三角状等の切り込み２７を形成できる構成を具備させ、この切り込み２７を前記各綴じ穴及び各スリットと同時に形成するように構成してもよい。
【００２７】
なお、前記書類２の綴じ穴２２及びスリット２５については図１（ａ）を参照、また、前記他方のシート１３の綴じ穴２３については図２（ｃ）を参照、さらにまた、前記他方のシート１３のスリット２６については図２（ｂ）を参照。
【００２８】
上記のように構成すると、綴じ具４４の綴じ金４５を開閉することなく、ファイル本体１に書類２を収容した状態のままで、任意数のファイルを、各綴じ穴を綴じ金４５の上に位置させて軽く押し付けることにより、スリットを通じて綴じ金４５にファイル（及び書類）の綴じ穴を簡単に嵌合して綴じ込むことができると共に綴じ金から所望のファイルを簡単に引き抜くことができる。したがって、所望数のファイルを綴込用ファイルに簡単に綴じ込んで整理、保管することができる。
また、綴込用ファイルに綴じ込んだままで所望のファイルの書類をファイル本体から取り出すことなく良好に見ることができる。このように、上記のように構成すると、任意数のファイルを綴込用ファイルにまとめて綴じ込んで整理、保管できるので、アーカイブ用として使用するのに最適なファイル（アーカイブファイル）を提供できる。
【００２９】
実施の形態１のファイルは、ファイル本体１の両シート１２，１３間に所望の書類を任意枚数収容した状態で、前記綴じ穴間に三角状等の切り込み２７，２７を形成してある。前記切り込み２７，２７は一方のシート１２と書類２及び他方のシート１３を貫通するように形成してある。
【００３０】
実施の形態の前記切り込み２７，２７は、三角の頂点が対向するように形成してある。このように、前記切り込み２７を形成することにより、三角状の切り込み片２７ａ，２７ａ（図２ａ参照）が形成され、この切り込み片２７ａ，２７ａがホッチキスの役目をなす。したがって、ファイル本体１に収容した書類２の収容状態を一層安定して保持させ、書類がずれ動くの確実に防止することができる。
【００３１】
図７は本発明のファイルの他の実施の形態(実施の形態２)を示す図であって、同図（ａ）はファイルの説明図、同図（ｂ）は同上ファイルに書類を収容した状態を示す平面説明図である。この実施の形態２のファイルにおいて、実施の形態１で既に説明した構成と共通する構成部や部材等には同一符号を付して説明を省略する。
【００３２】
実施の形態２のファイルは、前記押え用舌片１８に代え、書類２の角部を係脱自在に係入する長孔状の係合孔３１を設けた構成に特徴がある。即ち、実施の形態２のファイル本体１は、その上辺１６と前記開放側の側辺１７における角部側に位置させて、前記舌片１８に代え、両シート１２，１３内に収容される任意枚数の書類２の角部を係脱自在に係入する長孔状の係合孔３１を備えている。実施の形態２では、前記係合孔３１を両シート１２，１３に設けてある。他の構成は実施の形態１と同様である。
【００３３】
実施の形態２のファイルは上記のように構成され、ファイル本体１に収容した書類の上端角部側を係合孔３１に係脱自在に係入する。これにより、実施の形態１と同様の作用効果を奏する。
【００３４】
図８は本発明のファイルのさらに他の実施の形態（実施の形態３）を示す説明図であって、同図（ａ）はファイルの斜視図、同図（ｂ）は書類の斜視図、同図（ｃ）は同上ファイルに書類を収容し、綴じ穴とスリット及びピン孔を形成した状態を示す平面説明図である。この実施の形態３のファイルにおいて、上述した実施の形態で既に説明した構成と共通する構成部や部材等には同一符号を付して説明を省略する。実施の形態３は前記切り込み２７に代え、ピン孔を設けた構成に特徴がある。
【００３５】
即ち、実施の形態３は、ファイル本体１の両シート１２，１３間に所望の書類２を任意枚数収容する。この状態で、前記切り込み２７に代え、前記綴じ穴２１，２１間の略中央部に位置させて、一方のシート１２と書類２及び他方のシート１３を貫通するピン孔２８を形成してなるものである。前記ピン孔２８は任意の手段で形成する。実施の形態３にあっては、前記ピン孔２８がホッチキスの役目をなす。他の構成は実施の形態１（但し、前記係合孔３１については実施の形態２）と同様である。
【００３６】
実施の形態３のファイルは上記のように構成され、上述した実施の形態と同様に使用するもので、これにより、上述した実施の形態と同様の作用効果を奏する。
【００３７】
図９は本発明のファイルのさらに他の実施の形態（実施の形態４）示す説明図であって、同図（ａ）は平面説明図、同図（ｂ）は同図（ａ）のファイルの一部を拡大して示す平面説明図、同図（ｃ）及び（ｄ）は同上ファイルの綴じ穴の部分を示す説明図である。このファイルにおいて、上述した実施の形態で既に説明した構成と共通する構成部や部材等には同一符号を付して説明を省略する。実施の形態４のファイルは綴じ穴の構成に特徴がある。
【００３８】
即ち、実施の形態４の綴じ穴３２，３２は、穴の全部を開設することなく、穴３２の縁部の一部３３を残して開設してある。実施の形態４では、スリット２４と対向する側の一部３３を残すように構成してある。前記穴３２は、上述した実施の形態と同様にファイル本体１に書類２を収容した状態で一方のシート１２と書類２及び他方のシート１３を貫通して形成されている。これにより、両シート１２，１３及び書類２の前記穴３２の部分には円形状の舌片３４が形成され、この舌片３４がホッチキスの役目をなす。
【００３９】
なお、実施の形態４においても前記切り込み２７或いはピン孔２８を設ける構成を採用することも勿論可能である。他の構成は実施の形態１（但し、前記係合孔３１については実施の形態２及び３）と同様である。
【００４０】
実施の形態４のファイルは上記のように構成され、上述した実施の形態と同様に使用するもので、これにより、上述した実施の形態と同様の作用効果を奏する。
【００４１】
図１０は本発明に使用される別構成の綴込用ファイルを示す説明図である。既に述べたように、図１０の綴込用ファイル４は、ファイル表紙４０の背部４２に綴じ具４４を設けてある。また、綴じ具４４の綴じ金４５，４５として綴じ杆４５ｂを採用してある。他の構成は図５，図６に示す綴込用ファイルと略同様であるため、同一符号を付して説明を省略する。
なお、綴込用ファイルは一例として開示したものであって、本発明においては図示以外の任意の種類や型式等の綴込用ファイルを採用できること既に述べたとおりである。
【００４２】
また、上記した各実施の形態は一例として開示したもので、本発明は上記の実施の形態に限定されるものではなく、特許請求の範囲に記載の技術思想を越脱しない範囲内において任意に変更可能なものである。
【図面の簡単な説明】
【００４３】
【図１】本発明のファイルの一実施の形態を示す図であって、同図（ａ）はファイルから書類を取り出した状態を示す説明図、同図（ｂ）はファイル本体に書類を収容した状態を示す平面説明図である。
【図２】同上ファイルの一部を示す図であって、同図（ａ）はファイルの一部を拡大して示す平面図、同図（ｂ）は同図（ａ）のＡ−Ａ線断面図、同図（ｃ）は同図（ａ）のＢ−Ｂ線断面図である。
【図３】同上ファイルの押え用係合舌片の作用を説明するために示す説明図である。
【図４】同上ファイルに綴じ穴等を形成する工程を示す図であって、同図（ａ）はファイル本体に書類を収容した状態を示す平面説明図、同図（ｂ）は同上ファイル本体及び書類に綴じ穴、スリット及び切り込みを形成した状態を示す平面説明図である。
【図５】同上ファイルを綴込用ファイルに綴じ込んで綴込用ファイルを開いた状態を示す説明図である。
【図６】図５の状態において、綴込用ファイルを閉じた状態を示す説明図である。
【図７】本発明のファイルの他の実施の形態を示す図であって、同図（ａ）はファイルの説明図、同図（ｂ）は同上ファイルに書類を収容した状態を示す平面説明図である。
【図８】本発明のファイルのさらに他の実施の形態を示す説明図であって、同図（ａ）はファイルの斜視図、同図（ｂ）は書類の斜視図、同図（ｃ）は同上ファイルに書類を収容し、綴じ穴とスリット及びピン孔を形成した状態を示す平面説明図である。
【図９】本発明のファイルのさらに他の実施の形態を示す図であって、同図（ａ）は平面説明図、同図（ｂ）は同図（ａ）のファイルの一部を拡大して示す平面説明図、同図（ｃ）及び（ｄ）は同上ファイルの綴じ穴の部分を示す説明図である。
【図１０】本発明に使用される別構成の綴込用ファイルを示す説明図である。
【図１１】従来のファイルを示す斜視図である。
【符号の説明】
【００４４】
１        ファイル本体
２        書類
４        綴込用ファイル
１１      折り曲げ部
１２，１３    シート
１４      下辺
１５      接合
１６      上辺
１７      側辺
１８      押え用係合舌片
【図１】
2008012785.tif 000003
【図２】
2008012785.tif 000004
【図３】
2008012785.tif 000005
【図４】
2008012785.tif 000006
【図５】
2008012785.tif 000007
【図６】
2008012785.tif 000008
【図７】
2008012785.tif 000009
【図８】
2008012785.tif 000010
【図９】
2008012785.tif 000011
【図１０】
2008012785.tif 000012
【図１１】
2008012785.tif 000013